(57)【要約】      （修正有）【課題】一回の動作でガス容器をガス調節機に連結して点火できる携帯用ガスコンロを提供する。【解決手段】携帯用ガスコンロはハウジング；ハウジングに対して回転可能にハウジングに連結されている調節ノブ３０；ハウジングに連結され、調節ノブの回転に連動してガスの吐出量が調節されるように調節ノブに連結されているガス調節機４０；ガスが貯蔵されたガス容器を支え、ガス容器がガス調節機に連結される連結位置と、ガス容器とガス調節機間の連結が解除される連結解除位置の間で移動可能にハウジングに連結されているガス容器着脱部材５０；ハウジングに対して回転可能にハウジングに連結され、調節ノブの回転に連動して回転するように調節ノブに連結されている巻取部材６０；及び巻取部材及びガス容器着脱部材にそれぞれ連結し、巻取部材の回転に連動して巻取部材に巻き取られたり巻取部材から送り出されたりするように可撓性素材でできていて、巻き取りまたは送り出しに連動してガス容器着脱部材を連結位置に駆動する可撓性部材７０；を具備している。【選択図】図３
0003174948.tif 000002
【実用新案登録請求の範囲】
【請求項１】
ハウジング；前記ハウジングに対して回転可能に前記ハウジングに連結されている調節ノブ；前記ハウジングに連結され、前記調節ノブの回転に連動してガスの吐出量が調節されるように前記調節ノブに連結されているガス調節機；前記ガスが貯蔵されたガス容器を支え、前記ガス容器が前記ガス調節機に連結される連結位置と、前記ガス容器とガス調節機間の連結を解除する連結解除位置との間で移動可能に前記ハウジングに連結されているガス容器着脱部材；前記ハウジングに対して回転可能に前記ハウジングに連結され、前記調節ノブの回転に連動して回転するように前記調節ノブに連結されている巻取部材；及び前記巻取部材及びガス容器着脱部材にそれぞれ連結され、前記巻取部材の回転に連動して前記巻取部材に巻き取られたり前記巻取部材から送り出されたりするように可撓性素材でできており、前記の巻き取りまたは送り出しに連動して前記ガス容器着脱部材を前記連結位置に駆動する可撓性部材；を具備していることを特徴とする、携帯用ガスコンロ。
【請求項２】
前記着脱部材が前記連結位置から連結解除位置の方へ移動するように前記直線移動部材を弾性力によりバイアスする第１弾性部材；前記巻取部材の回転を防止するように、前記巻取部材に引っ掛かる掛け留め位置と、前記着脱部材が前記連結解除位置の方へ移動するように、前記巻取部材との掛け留めが解除される掛け留め解除位置の間で移動可能に前記ハウジングに連結されている掛け留め部材；及び前記掛け留め部材が前記巻取部材と接触して、前記掛け留め部材が前記掛け留め解除位置から掛け留め位置の方へ移動するように、前記掛け留め部材を弾性力によりバイアスする第２弾性部材；をさらに具備していることを特徴とする、請求項１に記載の携帯用ガスコンロ。
【請求項３】
前記掛け留め部材が、前記調節ノブの回転に連動して、前記掛け留め位置から掛け留め解除位置に移動するように前記調節ノブに連結されていることを特徴とする、請求項２に記載の携帯用ガスコンロ。
【請求項４】
前記掛け留め部材が、前記調節ノブの回転に連動して、前記掛け留め位置から掛け留め解除位置に移動するように前記調節ノブに連結されていることを特徴とする、請求項２に記載の携帯用ガスコンロ。
【請求項５】
前記掛け留め部材が、前記ハウジングに回転可能に連結され、前記掛け留め部材及び巻取部材のうちどちらか一つには掛け留め部が形成され、前記掛け留め部材及び巻取部材のうち他の一つには、前記掛け留め部が挿入される挿入凹部が形成されていて、前記掛け留め部材及び調節ノブのうちどちらか一つには、前記調節ノブの回転中心軸から離隔されて配置される加圧部が形成されていて、前記掛け留め部材及び調節ノブのうち他の一つには、前記調節ノブの回転時に、前記掛け留め部材が前記掛け留め解除位置に回転するように前記加圧部によって加圧される被加圧部が形成されていることを特徴とする、請求項３に記載の携帯用ガスコンロ。
【請求項６】
前記着脱部材が前記連結位置と連結解除位置の間で直線移動が可能なことを特徴とする、請求項２に記載の携帯用ガスコンロ。
【請求項７】
前記可撓性部材がワイヤーであり、前記ハウジングに連結され、前記巻取部材が回転可能に挿入される挿入空間部と、前記ワイヤーが挿入される第１凹部と、前記掛け留め部材が挿入される第２凹部が形成されているブラケット；をさらに具備していることを特徴とする請求項３〜６のいずれか１項に記載の携帯用ガスコンロ。
【考案の詳細な説明】
【技術分野】
【０００１】
本考案は携帯用ガスコンロに関するものであり、より詳細にはガス容器を着脱可能に連結し、そのガス容器に貯蔵されたガスに点火する際に使用される携帯用ガスコンロに関するものである。
【背景技術】
【０００２】
携帯用ガスコンロは、携帯して使用することができるガス点火装置であり、最近では週休二日制の定着による野外活動の増加に伴って、さらに多く使われるようになった。
【０００３】
このような携帯用ガスコンロの一例は図１に図示されている。図１を参照すると、携帯用ガスコンロはハウジング（１０’）と、ハウジングに連結され、ガスが噴射されて点火されるバーナー（１１’）と、ハウジングに回転可能に連結されている調節ノブ（３０’）と、ガス容器が連結され、調節ノブの回転に連動してガスの供給量を調節するガス調節機（４０’）から構成されている。そして、ハウジングにはガス容器が挿入され、ガス容器は、レバー（３’）の操作に連動して固定台（５０’）が直線移動することにより、ガス調節機（４０’）に連結したりガス調節機（４０’）と分離したりする。また、ガス容器がガス調節機（４０’）に連結した状態で調節ノブ（３０’）を回転させると、調節ノブ（３０’）の突起部（３３’）が点火スイッチ（２’）を作動させてバーナー（１１’）に点火し、調節ノブ（３０’）の回転具合を調節すればガス調節機（４０’）から供給されるガスの量が調節され、炎の強さを調節することができる。部材番号５１’は固定台（５０’）を元の位置に復帰させる引張コイルばねを支えている。
【０００４】
しかし、上述したガスコンロにおいて、点火するためにはレバー（３’）及び調節ノブ（３０’）を順次作動させなければならない不便さがあった。また、ガスの安全性に関わる事故を防止するためにも、使用後に調節ノブ（３０’）及びレバー（３’）を順次作動させなければガス容器をガス調節機から分離することができなかった。
【０００５】
よって、一回の動作で簡単に点火することができる携帯用ガスコンロの必要性があった。
【考案の概要】
【考案が解決しようとする課題】
【０００６】
本考案は上記の問題点を解決するために考案されたものであり、本考案の目的は、一回の動作でガス容器をガス調節機に連結して点火できるように構造が改善され、使用上の利便性を高めることができる携帯用ガスコンロを提供しようとしたものである。
【課題を解決するための手段】
【０００７】
上記の目的を達成するために、本考案による携帯用ガスコンロは、ハウジング；上記ハウジングに対して回転可能に上記ハウジングに連結されている調節ノブ；上記ハウジングに連結され、上記調節ノブの回転に連動してガスの吐出量を調節するように、上記調節ノブに連結されているガス調節機；上記ガスが貯蔵されたガス容器を支え、上記ガス容器が上記ガス調節機に連結される連結位置と、上記ガス容器及びガス調節機間の連結が解除される連結解除位置との間で移動可能に上記ハウジングに連結されているガス容器着脱部材；上記ハウジングに対して回転可能に上記ハウジングに連結され、上記調節ノブの回転に連動して回転するように上記調節ノブに連結されている巻取部材；及び上記巻取部材及びガス容器着脱部材にそれぞれ連結され、上記巻取部材の回転に連動して上記巻取部材に巻き取られたり上記巻取部材から送り出されたりするように可撓性素材でできており、上記の巻き取りまたは送り出しに連動して、上記ガス容器着脱部材を上記連結位置に駆動する可撓性部材；を具備していることを特徴とする。
【考案の効果】
【０００８】
本考案によると、一回の動作でガス容器をガス調節機に連結または分離することができるようになるので、ガスコンロの使用上の利便性がさらに向上する。
【０００９】
また、調節ノブ及び着脱部材間の連動を可能にする構造が単純になっており、製作が容易で、尚且つ耐久性に優れ、長期間使用することができるようになる。
【図面の簡単な説明】
【００１０】
【図１】従来の一例による携帯用ガスコンロの概略的な斜視図である。
【図２】本考案の一実試例による携帯用ガスコンロの平面図であり、それぞれガス容器がガス調節機に連結及び分離した状態を図示する。
【図３】図２に図示された主要構成要素の概略的な分離斜視図である。
【図４】ガス容器をガス調節機に連結する過程を説明するための概略的な断面図である。
【図５】ガス容器をガス調節機に連結する過程を説明するための概略的な断面図である。
【図６】図３に図示した巻取部材の背面斜視図である。
【図７】図２に図示した携帯用ガスコンロの正面図であり、調節ノブを取り外した状態のガスコンロの正面図である。
【図８】本考案の他の実施例による携帯用ガスコンロの主要部の概略的な斜視図である。
【図９】本考案の他の実施例による携帯用ガスコンロの主要部を図８とは違う方向から見た概略的な斜視図である。
【考案を実施するための形態】
【００１１】
図２は本考案の一実施例による携帯用ガスコンロの平面図であり、それぞれガス容器がガス調節機に連結及び分離した状態を図示し、図３は図２に図示した主要構成要素の概略的な分離斜視図であり、図４及び図５はガス容器をガス調節機に連結する過程を説明するための概略的な断面図であり、図６は図３に図示した巻取部材の背面斜視図であり、図７は図２に図示した携帯用ガスコンロの正面図であり、調節ノブを取り外した状態のガスコンロの正面図である。
【００１２】
図２ないし図７を参照すると、本考案の一実施例による携帯用ガスコンロ（１００）はハウジング（１０）と、ブラケット（２０）と、調節ノブ（３０）と、ガス調節機（４０）と、ガス容器着脱部材（５０）と、巻取部材（６０）と、可撓性部材（７０）と、掛け留め部材（８０）を具備している。
【００１３】
ハウジング（１０）は全体的に四角形状で、携帯用ガスコンロの外形を構成している。ハウジング（１０）は金属性素材でできている。ハウジング（１０）にはガスが噴射されて点火されるバーナー（１１）が設置されている。ハウジングにはガス容器が挿入される装着空間部（１０１）が形成されている。参考として、図２では装着空間部（１０１）を開放及び閉鎖するカバーは省略して図示している。また、ハウジング（１０）にはバーナー（１１）と装着空間部（１０１）を分離するための隔壁（１２）が一体型で設置されている。隔壁（１２）にはガイド凹部（１２１）が形成されている。
【００１４】
ブラケット（２０）はハウジング（１０）にボルトを用いて連結されている。ブラケット（２０）には挿入空間部（２１）、第１凹部（２２）及び第２凹部（２３）が形成されている。
【００１５】
調節ノブ（３０）はハウジング（１０）に回転可能に連結されている。調節ノブ（３０）は、従来技術で説明したものと同様の機能、すなわちバーナー（１１）へのガス点火及び炎の調節機能を遂行しながら、尚且つ従来技術で説明したレバーの機能、すなわちガス容器（１）をガス調節機（４０）に連結及び分離する機能を同時に遂行する。よって、調節ノブ（３０）を回転させると装着空間部（１０１）に挿入されたガス容器（１）をガス調節機（４０）に連結すると同時に、点火スイッチ（図示せず）を作動させてガスに点火することができ、使用後にはガス供給を遮断すると同時にガス容器（１）をガス調節機（４０）から分離することができるようになる。一方、調節ノブ（３０）には挿入部（３１）及び加圧部（３２）が形成されている。挿入部（３１）及び加圧部（３２）は調節ノブ（３０）の回転中心軸から離隔して配置されている。そして、加圧部（３２）及び調節ノブ（３０）の回転中心軸間の間隔は、挿入部（３１）及び調節ノブ（３０）の回転中心軸間の間隔より大きい。
【００１６】
ガス調節機（４０）はハウジング（１０）に連結されている。ガス調節機（４０）は、調節ノブ（３０）の回転に連動して回転するように、調節ノブ（３０）に直接噛み合わせて連結し、調節ノブ（３０）の回転具合によってバーナー（１１）に供給されるガスの吐出量を制御する。
【００１７】
ガス容器着脱部材（５０）はガス容器（１）をガス調節機（４０）に着脱可能に連結するためのものである。着脱部材（５０）は図２の（ａ）に図示した連結位置及び図２の（ｂ）に図示した連結解除位置の間で、矢印方向に往復直線移動可能にハウジング（１０）に連結されている。連結位置においては、着脱部材（５０）に支えられたガス容器（１）がガス調節機（４０）に連結され、ガスをバーナー（１１）に供給することができるようになる。連結解除位置においては、ガス容器（１）がガス調節機（４０）から分離して、ガスをバーナー（１１）に供給することができなくなる。そして、着脱部材（５０）は、第１弾性部材（５１）、すなわち、引張コイルばねの弾性により、連結位置から連結解除位置の方向にバイアスされている。ここで、引張コイルばね（５１）の一端部は隔壁ハウジング（１０）に固定され、引張コイルばね（５１）の他端部は着脱部材（５０）に固定されている。また、ガス容器着脱部材（５０）にはボルト（Ｂ）が連結され、ボルト（Ｂ）は隔壁のガイド凹部（１２１）に挿入され、ガス容器着脱部材（５０）の直線移動をガイドしている。
【００１８】
巻取部材（６０）は調節ノブ（３０）の回転に連動して回転するもので、ブラケットの挿入空間部（２１）に回転可能に挿入されている。巻取部材（６０）は調節ノブ（３０）と同軸的に配置されている。巻取部材（６０）には収容部（６１）が形成されている。収容部（６１）には調節ノブの挿入部（３１）が挿入されている。収容部（６１）の大きさは挿入部（３１）の大きさより大きく、特に収容部（６１）は、挿入部（３１）が収容部（６１）内の一定範囲において収容部（６１）の内側面と接触しないように形成されている。図４及び図５に図示したように、収容部（６１）は挿入部（３１）の形状を円周方向に一定程度延長して形成されている。図４に図示したように調節ノブ（３０）を回転しない状態、すなわち、ガス容器（１）が連結解除位置に位置した状態で、調節ノブ（３０）を反時計回りに回転させると、調節ノブの挿入部（３１）が収容部（６１）の内側面を加圧するので、巻取部材（６０）が調節ノブ（３０）と共に反時計回りに回転する。そして、図５に図示したようにバーナー（１１）に点火した状態で、調節ノブ（３０）を時計回りに回転させると、調節ノブの挿入部（３１）が収容部（６１）の内側面を加圧することができずに収容部（６１）内で相対回転し、図５の仮想線で図示した位置に到達した瞬間に初めて収容部（６１）の内側面と接触し、この状態で調節ノブ（３０）をさらに回転させると収容部（６１）の内側面を加圧して調節ノブ（３０）及び巻取部材（６０）が共に時計回りに回転する。
【００１９】
また、巻取部材（６０）には挿入凹部（６２）及び設置凹部（６３）が形成されている。挿入凹部（６２）は巻取部材（６０）の外側面にくぼんだ状態に形成され、設置凹部（６３）は巻取部材（６０）の背面、すなわちブラケット（２０）の向かいの面に形成されている。
【００２０】
可撓性部材（７０）は屈曲（ｆｌｅｘｉｂｉｌｉｔｙ）が可能な素材でできており、本実施例ではワイヤーで構成されている。可撓性部材（７０）の一端部はガス容器着脱部材（５０）に固定され、可撓性部材（７０）の他端部は巻取部材（６０）に固定されている。特に、可撓性部材（７０）の他端部には可撓性部材（７０）の直径より大きくて金属性素材でできた固定部材（７１）が固定され、固定部材（７１）は巻取部材の設置凹部（６３）に挿入されている。固定部材（７１）及び設置凹部（６３）は、ほぼ等しい大きさに形成されている。可撓性部材（７０）の一部はブラケットの第１凹部（２２）に挿入され、可撓性部材（７０）の移動をガイドする。可撓性部材（７０）は巻取部材（６０）の回転によって巻取部材（６０）に巻き取られたり送り出されたりする。ガス容器着脱部材（５０）が連結解除位置に位置した状態で可撓性部材（７０）が巻き取られると、ガス容器着脱部材（５０）が第１弾性部材（５１）の弾性力に勝って連結位置に位置し、ガス容器着脱部材（５０）が連結位置に位置した状態で可撓性部材（７０）が送り出されると、第１弾性部材（５１）の弾性力によってガス容器着脱部材（５０）が連結解除位置に復帰する。
【００２１】
掛け留め部材（８０）は、ガス容器（１）が連結位置に位置した状態で巻取部材（６０）が第１弾性部材（５１）の弾性力によって回転するのを防止することにより、調節ノブ（３０）を放してもガス容器（１）が引き続き連結位置に位置するようにする機能を遂行する。掛け留め部材（８０）は、ブラケット（２０）に回転可能に連結されているもので、掛け留め部（８１）、被加圧部（８２）を有する。
【００２２】
掛け留め部（８１）は、掛け留め部材（８０）の一端部に形成され、巻取部材（６０）の位置に関係なく、常にブラケットの第２凹部（２３）に挿入される。掛け留め部（８１）は、掛け留め位置と掛け留め解除位置の間で回転が可能である。掛け留め部（８１）が図５に図示したように掛け留め位置に位置すると、掛け留め部（８１）が巻取部材の挿入凹部（６２）に挿入されて挿入凹部（６２）の内側面が掛け留め部（８１）に引っ掛かるようになるので、巻取部材（６０）の回転が防止される。よって、ガス容器（１）が連結位置に位置した状態で調節ノブを放しても、第１弾性部材（５１）の弾性力によって巻取部材（６０）の回転が防止される。一方、掛け留め部（８１）は、掛け留め位置に位置する場合を除けば、常に掛け留め解除位置に位置する。例えば、図４に図示したように、ガス容器（１）が連結解除位置に位置する場合には、掛け留め部（８１）は巻取部材の挿入凹部（６２）から離脱する。そして、図４に図示した状態から掛け留め部（８１）が図５に図示した掛け留め位置に位置する手前まで、調節ノブ（３０）を回転させて巻取部材（６０）を巻いた後で調節ノブ（３０）を放すと、第１弾性部材（５１）の弾性力によって巻取部材（６０）が反対方向に回転し、ガス容器着脱部材（５０）は元の位置、すなわち連結解除位置に移動する。
【００２３】
被加圧部（８２）は、掛け留め部（８１）を掛け留め位置から掛け留め解除位置に回転させるために設けられたもので、掛け留め部材（８０）の他端部に形成されている。被加圧部（８２）は、掛け留め部材（８０）が掛け留め位置に位置した状態で、調節ノブの加圧部（３２）の回転経路上に配置される。掛け留め部材（８０）が掛け留め位置に位置した状態で、調節ノブ（３０）を時計回りに回転させると、被加圧部（８２）が調節ノブの加圧部（３２）によって加圧されて掛け留め部材（８０）が回転し、これによって掛け留め部（８１）が挿入凹部（６２）から離脱する。よって、第１弾性部材（５１）の弾性力によって巻取部材（６０）が回転し、これによってガス容器着脱部材（１）が連結解除位置に復帰する。このように、掛け留め部材（８０）は調節ノブ（３０）に連結され、調節ノブ（３０）の回転時に掛け留め位置から掛け留め解除位置に移動する。そして、ハウジング（１０）の前面には、図７に図示したように、被加圧部（８２）の回転経路に沿って凹部（１０２）が刳り貫かれた状態で形成されている。
【００２４】
そして、掛け留め部材のピボット軸（８３）は掛け留め部（８１）及び被加圧部（８２）の間に配置され、ピボット軸（８３）は掛け留め部材（８０）及びブラケット（２０）に連結されている。掛け留め部材（８０）はピボット軸（８３）を中心に回転し、掛け留め部材（８０）の回転中心軸は調節ノブ（３０）の回転中心軸と平行である。ここで、ピボット軸（８３）はボルトで構成されている。
【００２５】
また、掛け留め部材（８０）は第２弾性部材（９０）の弾性により掛け留め部（８１）が挿入凹部（６２）に挿入される方向にバイアスされる。第２弾性部材（９０）はトーションスプリングで構成され、第２弾性部材（９０）の一端部はブラケット（２０）に接触支持され、第２弾性部材（９０）の他端部は掛け留め部材の掛け留め突起（８４）に接触支持されている。掛け留め部材（８０）は掛け留め部材（８０）が掛け留め解除位置に位置した状態においては、第２弾性部材（９０）の弾性力により、常に巻取部材（６０）の外側面と接触した状態を維持し、掛け留め部材（８０）が掛け留め位置に位置すると、掛け留め部材（８０）は第２弾性部材（９０）の弾性力によって回転し、掛け留め位置に位置する。
【００２６】
上述したように、本実施例の携帯用ガスコンロ（１００）においては、ガス容器（１）を装着空間部（１０１）に挿入した後、調節ノブ（３０）を反時計回りに回転させるだけで、調節ノブ（３０）と共に巻取部材（６０）が反時計回りに回転するので、巻取部材（６０）を巻くことができる。このように巻取部材（６０）を巻くと、ガス容器着脱部材（５０）がガス調節機の方向に動き、図５に図示したように、掛け留め部材の掛け留め部（８１）が巻取部材の挿入凹部（６２）に挿入される瞬間に、ガス調節機（４０）にガス容器（１）が連結され、それと同時に点火スイッチ（図示せず）が調節ノブ（３０）によって打撃されて作動する。この時、ガス調節機（３０）から吐出されるガスの量は最大であり、バーナー（１１）に点火される。また、点火した状態で調節ノブ（３０）を放しても掛け留め部（８１）が挿入凹部（６２）に挿入された状態が維持されて、巻取部材（６０）が回転しなくなるので、ガス容器（１）の連結状態が引き続き維持される。
【００２７】
そして、点火した状態では、調節ノブ（３０）を時計回りに回転させると、ガス調節機（４０）から吐出されるガスの量が調節される。
【００２８】
一方、ガス容器（１）をガス調節機（４０）から分離するために、調節ノブ（３０）を図５に図示した状態から時計回りに回転させるだけで、調節ノブの挿入部（３１）が図５に仮想線で図示した位置に位置する前に、調節ノブの加圧部（３２）が掛け留め部材の被加圧部（８２）を加圧するので、掛け留め部材（８０）が回転し、これによって掛け留め部材の掛け留め部（８１）が巻取部材の挿入凹部（６２）から離脱する。そして、掛け留め部（８１）が挿入凹部（６２）から離脱する瞬間に、第１弾性部材（５１）の弾性力によって巻取部材（６０）が回転し、これによってガス容器着脱部材（５０）が連結解除位置に動く。よって、ガス容器（１）をガス調節機（４０）から簡単に分離することができる。
【００２９】
このように、本実施例では調節ノブ（３０）を回転させるだけで、ガス容器をガス調節機に連結したり分離したりすることができるようになるので、ガスコンロの使用上の利便性がさらに向上する。また、ガス容器の分離も同時に行われるので、ガス容器をガス調節機に連結したまま放置することにより発生し得る、安全に関わる事故を根本的に防止することができるようになる。
【００３０】
また、調節ノブ（３０）及び着脱部材（５０）間の連動を可能にする構成要素、すなわち巻取部材（６０）、第１弾性部材（５１）、可撓性部材（７０）、掛け留め部材（８０）及び第２弾性部材（９０）などが単純な構造で連結されているため、製作が容易であり、尚且つ耐久性に優れ、長期間使用することができるという長所も得ることができる。
【００３１】
一方、本実施例においては、ガス容器着脱部材が直線駆動するように構成されているが、図８及び図９に図示したように回転駆動するように構成することもできる。図８では図面の簡略化のために、不必要な構成要素に関しては省略して図示している。
【００３２】
図８及び図９を参照すると、本実施例でガス容器着脱部材（５０ａ）は連結部材（９０）に連結されている。連結部材（９０）は隔壁（１２ａ）にボルトを用いて連結され、これによって連結部材（９０）はボルト（Ｂ１）を中心に隔壁（１２ａ）に対して回転が可能である。また、連結部材（９０）は着脱部材（５０ａ）にボルトを用いて連結され、これによって着脱部材（５０ａ）は連結部材（９０）と共に動くようになる。特に、隔壁（１０ａ）には着脱部材（５０ａ）及び連結部材（９０）を連結させるボルト（Ｂ２）が挿入され、連結部材（９０）の回転時に、ボルト（Ｂ２）の回転を妨害することなくボルト（Ｂ２）の回転をガイドできるように、貫通孔（１２１ａ）が適切に形成されている。すなわち、連結部材（９０）の回転時に、ボルト（Ｂ２）のシャンクは貫通孔（１２１ａ）の内側面と接触し、その回転がガイドされ、ボルト（Ｂ２）の回転運動は妨害されない。
【００３３】
そして、可撓性部材（７０）は着脱部材（５０ａ）または連結部材（９０）に固定することができ、本実施例では連結部材（９０）に固定されている。そして、可撓性部材（７０）は、連結部材（９０）のうちでもボルト（Ｂ１）が連結されている部分からできるだけ遠い部分に固定されることが望ましい。このような位置に可撓性部材（７０）を配置すると、調節ノブ（３０）の回転による連結部材（９０）の回転時に、連結部材（９０）をボルト（Ｂ１）を中心に回転させるモーメントをより多く発生させることができるので、使用者はより容易に着脱部材（５０ａ）を移動することができるようになる。
【００３４】
以上、本考案を望ましい実施例を挙げて詳細に説明したが、本考案は上記実施例のみに限定されるものではなく、本考案の技術的思想内において、当該分野における通常の知識を有する者により、多様な変形が可能であることは明らかである。
【図１】
0003174948.tif 000003
【図２】
0003174948.tif 000004
【図３】
0003174948.tif 000005
【図４】
0003174948.tif 000006
【図５】
0003174948.tif 000007
【図６】
0003174948.tif 000008
【図７】
0003174948.tif 000009
【図８】
0003174948.tif 000010
【図９】
0003174948.tif 000011